(57)【要約】【解決手段】工業情報ネットワーク技術用の軌道モジュラーデバイスシステム（１）は、少なくとも１個の個別の能動ネットワークデバイス（２ｂ）及び少なくとも１個の個別の受動ネットワークデバイス（２ａ）を具備する。これらのネットワークデバイスは、レール実装可能なハウジング（１１）、少なくとも１個の入力ライン（４）及び少なくとも１個の出力コネクタ（５）を有する。多数の変形があるにもかかわらず、製造コストを低く保つために、本発明によれば、ハウジング（１１）は、レール実装可能な保持部材（１４）を具備すると共に能動及び受動ネットワークデバイス用に同構造である後部ハウジング要素（１２）を有する。
2010522449.tif 000002
【特許請求の範囲】
【請求項１】
各々がレール実装可能なハウジング（１１）、少なくとも１個の入力コンタクト配置（２２）及び少なくとも１個の出力コネクタ（５）を有する少なくとも１個の個別の能動ネットワークデバイス（２ｂ）及び少なくとも１個の個別の受動ネットワークデバイス（２ａ）を具備する、工業情報ネットワーク技術用の軌道モジュラーデバイスシステム（１）において、
前記ハウジングは、レール実装可能な保持部材（１４）を具備すると共に前記能動ネットワークデバイス及び前記受動ネットワークデバイス用に同構造である後部ハウジング要素（１２）を有することを特徴とする軌道モジュラーデバイスシステム。
【請求項２】
前記軌道モジュラーデバイスシステムは、入力ライン（４）の電線が個別の且つ直接的に接触できる固定接続モジュール（９）を有することを特徴とする請求項１記載の軌道モジュラーデバイスシステム。
【請求項３】
前記固定接続モジュールは、ダミーモジュールに置換されると共に前記能動ネットワークデバイス又は前記受動ネットワークデバイスに固定されることを特徴とする請求項２記載の軌道モジュラーデバイスシステム。
【請求項４】
前記後部ハウジング要素は、前記固定接続モジュール用のリセプタクルであることを特徴とする請求項２又は３記載の軌道モジュラーデバイスシステム。
【請求項５】
前記固定接続モジュールは、前記レールに実装される際に下方に開口する、前記入力ライン用のアクセス開口（２１）を有することを特徴とする請求項２ないし４のうちいずれか１項記載の軌道モジュラーデバイスシステム。
【請求項６】
前記能動ネットワークデバイス及び前記受動ネットワークデバイスは、前記レール上に交換可能なハウジング寸法を有することを特徴とする請求項１ないし５のうちいずれか１項記載の軌道モジュラーデバイスシステム。
【請求項７】
電源接続部（１５）が、前記レールに実装された状態で下からアクセス可能になるように配置されていることを特徴とする請求項１ないし６のうちいずれか１項記載の軌道モジュラーデバイスシステム。
【請求項８】
前部ハウジング要素（１３）が、前記電源接続部用の凹部を有することを特徴とする請求項１ないし７のうちいずれか１項記載の軌道モジュラーデバイスシステム。
【請求項９】
前記ネットワークデバイスは、前記レールの方向（Ｓ）に沿って、前記ハウジングの前面（Ｆ）に配置された前記出力コネクタの少なくとも1.25倍であり且つ最大２倍に対応する幅（Ｂ）をそれぞれ有することを特徴とする請求項１ないし８のうちいずれか１項記載の軌道モジュラーデバイスシステム。
【請求項１０】
前記出力コネクタは、その狭い面が前記レールに実装された前記ネットワークデバイスの前記ハウジングの前面に一方が他方の上になるように配置されて、１列に配列されていることを特徴とする請求項１ないし９のうちいずれか１項記載の軌道モジュラーデバイスシステム。
【請求項１１】
前記ハウジングの少なくとも一部は、導電層でコーティングされたプラスチック材料製であることを特徴とする請求項１ないし１０のうちいずれか１項記載の軌道モジュラーデバイスシステム。
【請求項１２】
一方が他方の上に配置された状態で少なくとも２本の前記レールが設けられ、
前記能動ネットワークデバイスは上側レールに配置され、
前記受動ネットワークデバイスは下側レールに配置されていることを特徴とする請求項１ないし１１のうちいずれか１項記載の軌道モジュラーデバイスシステム。
【発明の詳細な説明】
【技術分野】
【０００１】
本発明は、軌道（レール）に実装可能なハウジング、少なくとも１個の入力コンタクト構造及び少なくとも１個の出力コネクタを各々有する、少なくとも１個の分離した能動ネットワークデバイス及び分離した受動ネットワークデバイスを有する、工業情報ネットワーク技術用の軌道モジュラー装置システムに関する。
【背景技術】
【０００２】
工業ネットワーク技術において、スイッチ又はスターとも称されるネットワーク分配器等の能動ネットワークデバイス、及びクロスコネクトジャンパーとも称されることがある特にパッチケーブル用のアウトレット等の受動ネットワークデバイスは、情報技術におけるイーサネット（登録商標）準拠の用途において利用されている。能動ネットワークデバイスは、入力コンタクト及び少なくとも１個の出力コネクタ間に介在する電子回路を有するのに対し、受動ネットワークデバイスは介在する電子回路を有することなく入力コンタクトを出力コネクタに接続するのみである点で、受動ネットワークデバイスとは異なる。能動ネットワークデバイスの多くは、外部電源に依存する。
【０００３】
工業ネットワーク技術において、ケーブルダクト又は同様の内壁に永久設置されたネットワーク電線を、スイッチボックス内部の転換点でアウトレットに接続することは広く実践されていることである。なお、スイッチボックスの出力からは、可撓性クロスコネクタジャンパー線が各端デバイスに導入される。クロスコネクトジャンパー線は、例えばＲＪ４５プラグ等の８極モジュラーコネクタを具備するのが通常である。
【０００４】
工業用途用の堅牢なデバイスが、トップハット軌道（top-hat rails）に実装するための簡単なデバイスと同様に知られている。これらの堅牢なデバイスは、トップハット軌道又は壁への実装、また部分的には外部用途に適しており、特に安定したコネクタ及び追加の支持カラーを有する。このような堅牢なデバイス及びコネクタは、独国特許第１０２００４０３８１２３号明細書に説明されている。
【０００５】
しっかりとクランプできるものもあるネットワーク電線を有するデバイスは、工業情報技術からも知られている。
【０００６】
工業分野におけるイーサネット（登録商標）用途用のモジュラー接続システムは、欧州特許第１３１７７８３号明細書に説明されている。
【発明の開示】
【発明が解決しようとする課題】
【０００７】
これらの公知のデバイスシステムの不利な点は、特にデバイスシステムが複数のネットワークデバイスの変形を有する場合、デバイスシステムの製造コストが高過ぎることである。
【０００８】
従って、本発明は、公知のシステムと比較して製造コストが低減されるように、最初に述べたタイプの軌道モジュラーデバイスシステムを構成することを目的とする。
【課題を解決するための手段】
【０００９】
この目的は、最初に述べた軌道モジュラーデバイスシステムについて、ハウジングは後部ハウジング要素を有し、後部ハウジング要素は、軌道実装可能な保持部材を具備し、能動ネットワークデバイス及び受動ネットワークデバイス用に同構造に構成される本発明に従えば達成される。
【００１０】
この簡単な手段により、軌道モジュラーデバイスシステムの製造に要するコストを低減することができる。というのは、ネットワークデバイスのタイプとは関係なく、同構造の後部ハウジング要素が使用されるからである。
【００１１】
この基本的原理から始まり、互いに独立して組み合わせることが可能な更なる改善が可能である。
【００１２】
従って、軌道モジュラーデバイスシステムは、特に入力コンタクトを収容するために、能動ネットワークデバイスにも受動ネットワークデバイスにも等しく利用可能な固定接続モジュールを有することができる。固定接続モジュールの内部で、例えば圧接端子を使用して、ネットワークケーブルの撚り線を個別に且つ直接に接触させることができる。この目的のために固定接続モジュールは、ネットワークケーブルが永久接続できる、特にクランプ端子を有することができる。固定接続モジュールは特に、カバーの形態で構成することができる。カバーは、例えば簡単な差込みヒンジを使用してハウジング上に留めて配置することができる。また、固定接続モジュールは、入力ラインがネットワークデバイスにしっかりとクランプすることができる、入力ライン用の歪保護デバイスを形成することができる。
【００１３】
他の有利な構成において、デバイスシステムは、受動ネットワークデバイス又は能動ネットワークデバイス上で、固定接続モジュールと交換可能に固定することができるダミーモジュールを有してもよい。このダミーモジュールは全面で閉じているのが好ましいので、固定接続モジュールを要しない場合、埃がハウジングの内部に入り込むおそれがある開口を伴うことなく、ネットワークデバイスの内部がダミーモジュールで閉じられる。
【００１４】
固定接続モジュール及びダミーモジュールの一方又は両方は、特殊工具ではなく、例えば市販されているドライバー、プライヤー、スパナ又はビットの組等の標準的な工具で作業するように構成されることが好ましい。
【００１５】
また、後部ハウジング要素が固定接続モジュール用のリセプタクルを有する場合、利点がある。というのは、これは、軌道から離れた前部ハウジング要素の多様な変形の必要性が減少することを意味するからである。固定接続が必要かどうかは、前部ハウジング要素の構成には最早考慮すべきことではない。前部ハウジング要素は、個別のネットワークデバイスの接続の要求事項に従ってのみ構成することが可能である。
【００１６】
軌道モジュラーデバイスシステムの体積を可能な限り小さく保つために、各ネットワークデバイスを軌道上に横並びに隣接して固定することができるために、固定接続モジュールは、入力コンタクトに導くネットワークケーブル又は入力ライン用のアクセス開口を有してもよい。この開口は、軌道に実装されると下方に開口し、特にネットワークデバイスの下側横面に配置することができる。
【００１７】
デバイスシステムのネットワークデバイスが、軌道が完全に占有されると能動ネットワークデバイス及び受動ネットワークデバイスが交換可能なハウジングの寸法を有するように設定される標準的なハウジング寸法を有する場合、利点がある。この手段により、作業者は、軌道が完全に占有される場合であっても、軌道上に実装した後に、思い通りにネットワークデバイスを交換することができる。特に、この構成では、能動ネットワークデバイスを受動ネットワークデバイスに交換することが可能であり、逆の場合も同様である。
【００１８】
別の独立した有利な構成において、ネットワークデバイスはまた、軌道実装状態では下方を指す電源接続部を具備する。電源接続部は同様に、能動ネットワークデバイス及び受動ネットワークデバイスの一部を形成し得る電源モジュールとして構成することもできる。この構造では、横方向に電源用の空間を必要としない。デバイスは、互いに隣接する横壁を有する軌道上に互いに直に隣接して実装することができる。
【００１９】
少なくとも１個の出力コネクタは、ネットワークデバイスの軌道から離れた前面に配置されるのが好ましい。複数の出力コネクタが存在する場合、これら全ては、互いの上の前面に、特に整列して配置されるのが好ましい。所定長さの軌道上に可能な限り多数のネットワークデバイスを収容することを可能にするために、ネットワークデバイスが狭い構成を有する場合は、有利である。これは、ネットワークデバイスがそれぞれ、ハウジング前部に配置されたプラグ凹部の幅のせいぜい２倍までに対応する軌道方向の幅を有する本発明によれば、達成される。この幅は、構成に悪影響を与えることなく、出力コネクタへの人間工学的に良好なアクセスを達成することを可能にする。
【００２０】
狭い構成により、一方の狭い面が他方の狭い面の上に配置された状態で、ハウジング前部に配置された出力コネクタが１列に配列されることが追加的又は代わりに確保することができる。
【００２１】
特に軌道デバイスシステムを利用した場合に、軌道に固定されるべきネットワークデバイスが可能な限り軽量であるなら、軌道を固定するための組立コストを低減することができる。本発明によれば、プラスチック材料製のハウジング要素を使用することにより重量が減少する。プラスチック材料であるにも拘らず、電磁環境両立性を確保するために、導電コーティングを設けてもよい。さらに、多層印刷回路基板や、個別電子部品のシールド、公知の「パッケージング」を設けてもよい。重量の増加が容認されている場合には、ハウジングの内側に単にシールド板を使用してもよい。
【００２２】
ネットワークコネクタのハウジングは印刷回路基板を収容してもよく、印刷回路基板の平面は、ネットワークデバイスが実装される際の軌道の平面に直角に垂直方向へ延びているのが好ましい。この手段により、狭い構成がもたらされる。
【００２３】
印刷回路基板の寸法は、能動ネットワークデバイス及び受動ネットワークデバイスにとって同等であることが好ましい。ハウジングの内部に固定するための同じ保持部材は、この手段を有する全ての印刷回路基板用に使用してもよい。また、印刷回路基板は、後部ハウジング部で独占的に保持されるのが好ましい。これにより、前部ハウジング部の構成、並びに前部ハウジング部及び後部ハウジング部の組立が簡単になる。
【００２４】
本実施形態において、後部ハウジング要素は、前方に開口する２個の溝すなわち軌道形状の凹部を上下に有してもよい。この溝には、前側から印刷回路基板を容易に挿入することができる。さらに、後部ハウジング要素の内側に少なくともネットワークデバイスの仮組立中に印刷回路基板を保持するロック部材を設けてもよい。
【００２５】
特に、固定接続モジュールが軌道上に実装される際のネットワークデバイスの下側にあるものに使用される場合、工業的作業における検査が容易である接続トポロジーを、２本の軌道の一方を他方の上に配置することにより形成することができ、能動ネットワークデバイスは上側軌道上にあり、受動ネットワークデバイスは下側軌道上にある。ネットワークデバイスの下に配置された入力コンタクトは、ネットワークデバイスの入力が重大な状況で出力に間違われ、作業ミスが発生することを防止する。異なる機能を有するネットワークデバイスの一方の軌道上に他方を配置する間隙配列も、重大な状況における作業ミスを防止する。
【発明を実施するための最良の形態】
【００２６】
以下、図面に図示された特定実施形態を使用して、一例としての本発明を説明する。本明細書で説明される実施形態に含まれる特徴は、その特徴に関連する利点が所定用途において重要でない場合、随意に省略したり互いに結合したりしてもよい。
【００２７】
本発明に従った軌道モジュラーデバイスシステムの構造を、図１を参照して説明する。軌道モジュラーデバイスシステム１は、イーサネット（登録商標）準拠の工業情報ネットワーク技術において使用することができる。
【００２８】
軌道モジュラーデバイスシステム１は、モジュラー構造をなし、機器のキャビネット（図示せず）の内部でほぼ水平方向に延びるレール３上に互いに独立して実装され得る多数の個別のネットワークデバイス２を有する。レール３は、例えばトップハット軌道として構成されてもよい。
【００２９】
ネットワークデバイス２は、各々が異なって構成された前面Ｆを有する、受動ネットワークデバイス２ａ及び能動ネットワークデバイス２ｂを具備する。能動ネットワークデバイス２ｂは、介在する電子回路なしで前面Ｆにおいて入力ライン４を少なくとも１個の出力コネクタに接続する主としてアウトレットである。出力コネクタ５は、例えばＲＪ４５フォーマットを有し、例えば光コネクタの場合にはＭ１２フォーマットを有する。
【００３０】
入力ライン４の個別電線の装填に依存して、例えば「ケーブルシェアリング」を介して多数の異なるサービス又はプロトコルを異なるライン又は電線に割り当てることにより、多数の用途が与えられ得る。この結果、複数の出力コネクタ５は、追加の電子回路の介在を要することなく、受動ネットワークデバイス２ａ内の入力ライン４の個別電線又は個別ラインの組合せに割り当てられる。
【００３１】
能動ネットワークデバイス２ｂは一般に、多数の出力コネクタ５を入力ライン４のうちの１本に割り当てる。能動ネットワークデバイス２ｂはまた、出力コネクタ５の入力ライン４への割当てを管理するために、入力ライン４及び出力コネクタ５間に配置された電子回路を有する。能動ネットワークデバイス２ｂは、例えば「スイッチ」又は「ハブ」と称される分配器であってもよい。
【００３２】
情報ネットワーク技術におけるコネクタの機械的安定性の要求事項は、一般にオフィス用よりも工業用のほうがより高い。従って、軌道モジュラーデバイスシステム１の場合には、出力コネクタ５に安定して接続するために、特別な手段がとられる。従って、出力コネクタ５は各々、出力コネクタ５内に挿入される相手コネクタ７の横にあり、剪断や曲げから保護するカラー６によって取り囲まれる。カラー６の寸法は相手コネクタ７の寸法に適合できるので、カラー６及び相手コネクタ７は、接続状態で互いに当接し、互いを支持する。このようなシステムは、軌道モジュラーデバイスシステム１の出力コネクタ５及び相手コネクタ７の少なくとも一部の構成に関して極めて広範囲に参照する例えば独国特許出願公開第１０２００４０３８１２３号明細書に説明されている。
【００３３】
出力コネクタ５は一方が他方の上に１列に配列され、出力コネクタ５の前面はレール３から離れている。ネットワークデバイス２が図１に示される実装状態にある場合、軌道モジュラーデバイスシステム１は狭い構成を有する。というのは、レール３の方向５に沿ったネットワークデバイス２の幅Ｂは、能動ネットワークデバイス２ｂや受動ネットワークデバイス２ａの形状及び構成とは無関係に、全軌道モジュラーデバイスシステム１について同一であることが好ましいからである。このため、能動ネットワークデバイス２ｂ及び受動ネットワークデバイス２ａは、レール３が完全にふさがっている場合であっても、ネットワークデバイス２の横面がレール５の方向Ｓに沿って互いに当接するのであれば、随意に交換可能である。
【００３４】
幅Ｂは特に、レール３の方向Ｓに沿って出力コネクタ５の幅Ａのほぼ２倍を最大限として少なくとも1.25倍であるので、狭い構成にもかかわらず、相手コネクタ７は依然として手作業又は工具を用いて容易にアクセス可能である。図１に示されるように、出力コネクタ５の外輪郭が正方形でも円形でもないほぼ細長である場合、整列するか１列に並ぶことが好ましい単一のネットワークデバイス２の複数の出力コネクタ５の外輪郭の狭い面は、互いに対して割り当てられる。ネットワークデバイス２の高さＨは、能動ネットワークデバイス２ｂや受動ネットワークデバイス２ａの構成とは無関係に、同一である。
【００３５】
ネットワークデバイス２の前面Ｆは、入力ライン４の近傍に位置する領域に接着ラベル又は他のマーキング用の平坦なマーキング面８を具備することが好ましい。
【００３６】
軌道モジュラーデバイスシステム１はまた、受動ネットワークデバイス２ａと同様に能動ネットワークデバイス２ｂ内に随意に嵌まることができる固定接続モジュール９を有する。固定接続モジュール９の少なくとも一部は、レール３に実装される際に、ネットワークデバイス２の下面Ｕに配置される。固定コネクタモジュールの固定部材１０は、外側からアクセス可能になるように、ネットワークデバイス２の横面Ｓに配置されてもよい。
【００３７】
全ネットワークデバイス２は、その機能がレール３への取付又はレール３からの取外し等の作業に必要であるように構成され、入力ライン４及び相手コネクタ７の接続及び取外しは、標準的な工具で実行することができる。
【００３８】
最後に、ネットワークデバイス２のハウジング１１が、後部ハウジング要素１２、及び前面Ｆを形成する前部ハウジング要素１３から構成されることが図１に見ることができる。このようにして、後部ハウジング要素１２は、レール３に係合して作業中にレール３上に実装した状態にネットワークデバイス２を保持できるように構成される保持部材１４を形成する。
【００３９】
能動ネットワークデバイス２ｂは、好ましくは下面Ｕに、差込み可能な電源接続部１５を具備してもよい。
【００４０】
次に、図２を参照して、受動ネットワークデバイス２ａの構造を一例として説明する。図２において、前部ハウジング要素１３は、受動ネットワークデバイス２ａの内部に収容された印刷回路基板１６を見ることができるように、後部ハウジング要素１２及び固定接続モジュール９から接続解除した状態で図示されている。
【００４１】
後部ハウジング要素１２は、実装時に印刷回路基板１６のしっかりとした保持用の受容部材１７を有する。受容部材１７は、図２の一例に示されるように、後部ハウジング要素１２の開口１８に向った前方へ開口する１対の受容溝として構成することができる。この結果、印刷回路基板１６は、後部ハウジング要素１２内に挿入することができる。
【００４２】
カバーの形態である固定接続モジュール９は、例えば差込みヒンジによって、又は後部ハウジング要素１２のスロット２０を貫通して包囲する曲げ突起１９によって、後部ハウジング要素１２上に捕捉されて固定されるのが好ましい。後部ハウジング要素１２は凹部９’を有する。凹部９’の内輪郭は、固定接続モジュール９の外輪郭に対応し、固定接続モジュール９により覆われる。
【００４３】
カバーは、例えば標準化されたねじであってもよい固定部材１０により、閉じられる。後部ハウジング要素１２及び固定接続モジュール９は、下面Ｕのほうへのアクセス開口２１を形成する。このアクセス開口２１を通って、受動ネットワークデバイス２ａの内部に入力ライン４が供給される。固定接続モジュール９は、アクセス開口２１に入力ライン４をしっかりとクランプすることにより、入力ライン４用のストレインリリーフ手段を形成する。これは、アクセス開口２１が入力ライン４の外径よりも小さい間隙幅を有することで簡単に達成できる。
【００４４】
１個の入力コンタクト配置２２が、入力ライン４の撚り線を個別に印刷回路基板１６（図１参照）に直接接続する。例えば、圧接端子を用いて永久接続が可能である。入力コンタクト配置２２は、入力ライン４及び印刷回路基板１６間の接続部を電磁シールドするシールド要素２３を有する。
【００４５】
狭い配置は、平面がレール３の方向Ｓに対して直交する、垂直に収容された印刷回路基板により、及び下面Ｕからアクセス可能な入力コンタクトは位置２２により、達成される。
【００４６】
受動ネットワークデバイス２ａは、出力コネクタ５及びカラー６の一方を有して図２に図示される。図１に関連して説明したように、より多くの出力コネクタ５もまた、受動ネットワークデバイス２ａの場合に使用することができる。カラー６は、接続部が大きな機械的負荷を受けない場合にはなくてもよい。
【００４７】
次に、図３を参照して、能動ネットワークデバイス２ｂの構造を説明する。この場合、要素の機能及び構造が上述の要素に対応する場合には、同一の参照符号が使用される。
【００４８】
本発明によれば、能動ネットワークデバイス２ｂの後部ハウジング要素１２及び固定接続モジュール９は受動ネットワークデバイス２ａと同等であるので、図２の上述の説明を参照することができる。
【００４９】
後部ハウジング要素１２は受動ネットワークデバイス２ａの場合に使用される後部ハウジング要素と同等であるため、印刷回路基板１６もまた、能動ネットワークデバイス２ｂの場合と同じ受容部材１７の使用を可能にする寸法を有する。特に、能動ネットワークデバイス２ｂの印刷回路基板１６の高さＬは、受動ネットワークデバイス２ａの印刷回路基板１６の高さＬと同じである。
【００５０】
能動ネットワークデバイス２ｂの電子回路に電源を供給するために、電源接続部１５が設けられる。電源接続部１５は、コネクタとして構成してもよい。入力コンタクト配置２２の下面Ｕ上の配置のように、ネットワークデバイス２の下面Ｕ上の電源接続部１５の位置は、レール３上に横並びでネットワークデバイス２を密に詰め込むことを可能にする。
【００５１】
前部ハウジング要素１３は、受動ネットワークデバイス２ａの前部ハウジング要素１３とは異なる寸法を有してもよい。というのは、能動ネットワークデバイス２ｂの印刷回路基板１６には、通常、より大きな空間を要するからである。前部ハウジング要素１３はまた、その上面Ｏに通気開口２４を有してもよい。（図３には見えない）対応する通気開口は、ネットワークデバイス２を通る空気の対流を実現するために、下面Ｕに設けてもよい。
【００５２】
後部ハウジング要素１２、前部ハウジング要素１３及び固定接続モジュール９は、プラスチック材料から製造されるのが好ましく、内側が導電性コーティングされていることが好ましい。多層基板及び完全にシールドされたコネクタも使用してもよい。これらの手段は、ネットワークデバイス２からの電磁放射を遮蔽し、大きな間隙を要することなく、個別のネットワークデバイス２を互いに隣接した密な配置を可能にする。ハウジング１１に簡単なシールド板を追加で設けてもよい。
【００５３】
本実施形態に示されたＲＪ４５プラグは単に例示を提供するに過ぎず、情報及びネットワーク技術で使用される他のプラグフォーマットを使用してもよいことは、当業者であれば理解するであろう。
【００５４】
ネットワークデバイス２は、少なくともＩＰ２０の安全等級の要求事項を満たす。
【００５５】
ネットワークデバイス２は、好適には互いに平行に配置された、他方の上に一方が配置される２本のレール３からなる接続トポロジーを可能にする。受動ネットワークデバイス２ａは下側レールに独占的に配置され、能動ネットワークデバイス２ｂは上側レールに独占的に配置される。対応する配置は、図４に図示されている。受動ネットワークデバイス２ａは、ビルの基幹設備に属する永久取付された入力ライン４を有する入力コンタクト配置２２に接続される。入力ライン４として機能し、その上に配置された能動ネットワークデバイス２ｂの入力コンタクト配置２２に通じるパッチケーブル３０は、受動ネットワークデバイス２ａの端子５に接続される。パッチケーブル３０は、図４において破線で示される。接続ライン５は、そこから工業情報ネットワークの周辺デバイス又は中央デバイス（図示せず）に通じる。
【００５６】
さらに、上側レール上の最も左に配置された能動ネットワークデバイス２ｂは、入力コンタクト配置２２を有していない。従って、接続モジュール（図１参照）は、後部ハウジング要素１２に固定されたダミーモジュール３１に置換される。
【００５７】
更なる変更も可能である。例えば、ネットワークデバイス２は、欧州特許第１３１７６８３号明細書に説明されるように、横面Ｄ上に互いに差し込まれる電気接続部を有してもよい。
【図面の簡単な説明】
【００５８】
【図１】本発明に従った軌道モジュラーデバイスシステムの一実施形態を示す斜視図である。
【図２】本発明に従った軌道モジュラーデバイスシステムの受動ネットワークデバイスの一実施形態が部分的に分解された状態を示す斜視図である。
【図３】本発明に従った軌道モジュラーデバイスシステムの能動ネットワークデバイスの一実施形態が部分的に分解された状態を示す斜視図である。
【図４】一例として示された接続トポロジーを有する、本発明に従った軌道モジュラーデバイスシステムを示す斜視図である。
【符号の説明】
【００５９】
１    軌道モジュラーデバイスシステム
２    ネットワークデバイス
２ａ  受動ネットワークデバイス
２ｂ  能動ネットワークデバイス
３    レール
４    入力ライン
５    出力コネクタ
９    固定接続モジュール
１１  ハウジング
１２  後部ハウジング要素
１３  前部ハウジング要素
１４  保持部材
１５  電源接続部
２１  アクセス開口
Ｂ    幅
Ｆ    前面
Ｓ    レールの方向
【図１】
2010522449.tif 000003
【図２】
2010522449.tif 000004
【図３】
2010522449.tif 000005
【図４】
2010522449.tif 000006
【国際調査報告】
2010522449.tif 000007
2010522449.tif 000008
2010522449.tif 000009